(57)【要約】【課題】  締結部材の軸部の軸方向への移動によりカラーとの作用によって締結することにより、弾性による戻りトルクの発生を防止し、所定の締結力を得ることができる締結部材を提供する。【解決手段】  締結部材は、軸部２とカラー３及び座金４によって構成され、軸部２は、一方端に軸部２の外径よりも大きい外径の頭部２ａが形成され、他方側には頭部２ａ方向に至るにしたがって小さくしたテーパ状の外径としたテーパ部２ｂが形成され、カラー３は、円筒状に形成され、外径が軸部２の外径と同じであり、内径が軸部２のテーパ部２ｂの外径に合わせて一端側から他端に至るにしたがってテーパ状に厚さを小さく形成され、座金４は、開口側４ａから軸部２を挿通する溝４ｃを有する略Ｕ字状に形成され、閉口側４ｂから開口側４ａに至るにしたがって厚さが小さく形成され、軸部２のテーパ部４ｂにカラー３を嵌挿して軸方向に相移動したとき、カラー３の外径を直径方向に拡開させるように構成する。【選択図】図１
2018091475.tif 000002
【特許請求の範囲】
【請求項１】
被締結体を締結する締結部材であって、
前記締結部材は、軸部とカラー及び座金によって構成され、
前記軸部は、一方端に前記軸部の外径よりも大きい外径の頭部が形成され、他方側には前記頭部方向に至るにしたがって小さくしたテーパ状の外径としたテーパ部が形成され、前記カラーは、円筒状に形成され、外径が前記軸部の外径と同じであり、内径が前記軸部のテーパ状の外径に合わせて一端側から他端に至るにしたがってテーパ状に厚さを小さく形成され、
前記座金は、開口側から前記軸部を挿通する溝を有する略Ｕ字状に形成され、前記閉口側から前記開口側に至るにしたがって厚さが小さく形成され、
前記軸部のテーパ部に前記カラーを嵌挿して軸方向に相対移動したとき、前記カラーの外径を直径方向に拡開させるように構成した締結部材。
【請求項２】
頭部の軸部側に傾斜面を形成した請求項１に記載の締結部材。
【請求項３】
円筒状に形成されカラーに、軸方向のスリットを形成した請求項１に記載の締結部材。
【請求項４】
座金の開口側を変形可能に形成した請求項１に記載の締結部材。
【請求項５】
円筒状に形成されカラーに形成されたスリットには凹部が形成され、軸部のテーパ部には前記スリットの周方向の幅よりも小さい幅の突部が突出形成され、前記軸部の回動により前記係合突部を前記凹部に係合させる請求項１及び３に記載の締結部材。
【発明の詳細な説明】
【技術分野】
【０００１】  本発明は、被締結部材を締結する締結部材に関し、詳しくは、締結部材の軸部の軸方向への移動によりカラーとの作用によって締結する締結部材に関する。
【背景技術】
【０００２】  部品、部材の締め付け固定に使用する締結部材として、ナットおよびボルトは種々の分野に広く使用されてきた。これらのナットおよびボルトは、部品、部材を締め付けて固定するためのものであるが、これらの締結部分に振動が繰り返して作用するとナットやボルトが緩むという問題があり、ナットやボルトの弛み止めを目的として、平板ワッシャやスプリングワッシャを使用することが多用されている。ところが、平板ワッシャやスプリングワッシャを使用しても、用途によってはナットやボルトが弛むという問題は依然として解消されない。【０００３】  このため、ボルトのネジとナットまたは被締結部材のネジ孔の間にテーパ状のカラーを介在させ、ボルトの雄ネジとナットの雌ネジを螺合させて、良好な締結状態を得ようとすることも、例えば、特開２０１１−３３１６９号公報（特許文献１）、特開２００９−２９９７５４号公報（特許文献２）特開平１１−２４７８７４公報（特許文献３）などに提案されている。
【先行技術文献】
【特許文献】
【０００４】
【特許文献１】特開２０１１−３３１６９号公報
【特許文献２】特開２００９−２９９７５４号公報
【特許文献３】特開平１１−２４７８７４号公報
【発明の概要】
【発明が解決しようとする課題】
【０００５】  上記の特許文献に開示されているように、ネジ孔の間にテーパ状のカラーを介在させることにより、締結力を増加させることにより良好な締結状態が得られる。しかしながら、所定の締め付けトルクで締結させる場合には、ボルトの雄ネジとナットの雌ネジを螺合させるとき、ボルトを所定の締め付けトルクで回転させる必要がある。ボルトは、一般に棒状の金属から形成されていて、所定の弾性を有している。このため、ボルトに大きな締め付けトルクを加えたとき、ボルトには弾性力によって戻りトルクが発生する。この戻りトルクは、緩み方向のトルクであり、このため、ボルトを所定の締め付けトルクで締め付けても、その後に緩みを生じさせる問題がある。このようなボルトの弾性力による緩みを防止する対策として、ボルトを金属の塑性変形の限界値まで締め付けトルクを与えることが行われる。しかしながら、ボルトを塑性変形の限界状態にした場合には、負荷を与えた場合には破断する可能性があることから、締結の信頼性を失う問題がある。【０００６】  特許文献に示されるように、テーパ状のカラーを介在させてくさび効果によって緩みを防止させることは効果的であり、ボルトを金属の塑性変形の限界値まで締め付けトルクを与える必要がなくなることは期待できる。しかし、ボルトを所定の締め付けトルクで回転させた場合には、弾性力によって戻りトルクが生じて緩む問題は依然として解消されなかった。【０００７】  本発明が解決しようとする課題は、締結部材の軸部の軸方向への移動によりカラーとの作用によって締結することにより、弾性による戻りトルクの発生を防止し、所定の締結力を得ることができる締結部材を提供することにある。
【課題を解決するための手段】
【０００８】  そこで、本発明による締結部材は、被締結体を締結する締結部材であって、前記締結部材は、軸部とカラー及び座金によって構成され、前記軸部は、一方端に前記軸部の外径よりも大きい外径の頭部が形成され、他方側には前記頭部方向に至るにしたがって小さくしたテーパ状の外径としたテーパ部が形成され、前記カラーは、円筒状に形成され、外径が前記軸部の外径と同じであり、内径が前記軸部のテーパ部の外径に合わせて一端側から他端に至るにしたがってテーパ状に厚さを小さく形成され、前記座金は、開口側から前記軸部を挿通する溝を有する略Ｕ字状に形成され、前記閉口側から前記開口側に至るにしたがって厚さが小さく形成され、前記軸部のテーパ部に前記カラーを嵌挿して軸方向に相移動したとき、前記カラーの外径を直径方向に拡開させるように構成したことを要旨としている。【０００９】  また、頭部の軸部側には、傾斜面を形成している。【００１０】  さらに、円筒状に形成されカラーには、軸方向のスリットを形成することが望ましい。【００１１】  さらにまた、座金の開口側を変形可能に形成することが望ましい。【００１２】  また、円筒状に形成されカラーに形成されたスリットには凹部が形成され、軸部のテーパ部には前記スリットの周方向の幅よりも小さい幅の突部が突出形成され、前記軸部の回動により前記係合突部を前記凹部に係合させることが望ましい。
【発明の効果】
【００１３】  本発明によれば、軸部には、頭部方向に至るにしたがって小さく形成したテーパ部が形成され、このテーパ部に外径に合わせて一端側から他端に至るにしたがってテーパ状に厚さを小さくしたカラーによって締結部材を構成しているので、軸部のテーパ部に前記カラーを嵌挿した状態で、被締結部材の形成された穴に挿入し、軸部を軸方向に移動すると、軸部のテーパ部によってカラーの外径を直径方向に拡開させることができる。このとき、カラーの外周面が穴の内面に圧接するとともに、軸部のテーパ部の外周面とカラーの内周面が圧接するので、密着状態で面接合することによって大きな摩擦力が発生し、被締結部材を強固に締結することができる。【００１４】  このように、軸部を軸方向に移動することで締結することから、従来のボルトとナットによる締結のように、締結後にボルトの戻りトルクが発生しないので、緩みの発生による問題が解消される。また、ボルトとナットに形成されたネジは、ネジ山に摩擦力を得ているが、摩擦面が小さく、しかも斜面に形成されているために緩みが生じ易いが、本発明による締結部材は、摩擦面を大きくして面接合しているので、緩みを生じさることがない。【００１５】  また、頭部の軸部側に傾斜面を形成することにより、被締結部材の穴に締結部材を挿入した状態では、頭部の軸部側と被締結部材の間に隙間が生じているので、この隙間から座金を挿入することが可能である。さらに、閉口側から開口側に至るにしたがって厚さが小さく形成された略Ｕ字状の座金を、開口側から軸部を挿通してスライド移動することにより、座金によって軸部を小さな力で軸方向に移動することができる。【００１６】  さらに、円筒状に形成されカラーに、軸方向のスリットを形成することにより、軸部のテーパ部によってカラーの外径を直径方向に拡開させることができ、これにより、カラーの外周面を広い面積で穴の内面に圧接することが可能となる。この結果、軸部のテーパ部の外周面とカラーの内周面が密着状態で面接合することから、大きな摩擦力が発生させることが可能となり、被締結部材を強固に締結することができる。【００１７】  さらにまた、座金の開口側を変形可能に形成することにより、座金を挿入して軸部を軸方向に移動したのちに、座金が逆方向に戻ることが阻止されるので、被締結部材を強固に締結した状態を保持させることが可能となる。【００１８】  また、カラーのスリットに凹部を形成し、この凹部に係合する突部を軸部に突出形成することにより、被締結部材を締結した状態から締結部材を離脱させる場合、スリットに凹部に軸部を回動して突部を係合させることにより、軸部を引き抜き方向に移動するときにカラーが一体に移動するので、締結状態が解除されて締結部材を容易に離脱させることが可能となる。
【図面の簡単な説明】
【００１９】
【図１】本発明に関わる締結部材の被締結体への締結状態を示す断面図である。
【図２】締結部材の軸部を示す側面図である。
【図３】締結部材のカラー示す断面図である。
【図４】座金を示す斜視図である。
【図５】（Ａ）〜（Ｄ）は、締結部材により被締結部材を締結する工程を示す説明図である。
【図６】軸部の移動によりカラーを拡開させた状態を示す断面図である。
【図７】（Ａ）（Ｂ）は、座金を変形させて逆方向に戻ることを阻止する状態を示す説明図である。
【図８】締結部材により、止まり穴を形成した被締結部材を締結した状態を示す断面図である。
【図９】補助締結具を使用して被締結部材を締結した状態を示す断面図である。
【図１０】（Ａ）（Ｂ）は、離脱可能な締結部材により被締結部材を締結する工程を示す説明図である。
【図１１】（Ａ）〜（Ｃ）は、離脱可能な締結部材を被締結部材から離脱する工程を示す説明図である。
【発明を実施するための形態】
【００２０】  締結部材は、被締結体を締結する締結部材であって、軸部とカラー及び座金によって構成され、前記軸部は、一方端に前記軸部の外径よりも大きい外径の頭部が形成され、他方側には前記頭部方向に至るにしたがって小さくしたテーパ状のテーパ部が形成され、このテーパ部に嵌挿される前記カラーは、円筒状に形成され、外径が前記軸部の外径と同じであり、内径が前記軸部のテーパ部の外径に合わせて一端側から他端に至るにしたがってテーパ状に厚さを小さく形成され、前記座金は、開口側から前記軸部を挿通する溝を有する略Ｕ字状に形成され、前記閉口側から前記開口側に至るにしたがって厚さが小さく形成され、前記軸部のテーパ部に前記カラーを嵌挿して軸方向に移動したとき、前記カラーの外径を直径方向に拡開させるように構成している。
【００２１】  以下、図面に基づいて本発明の実施例を詳細に説明する。図１は、本発明に関わる締結部材により被締結体を締結した状態を示している。締結部材１は、軸部２とカラー３及び座金４によって構成されている。
【００２２】  軸部２は、図２に示すように、一方端に軸部２の外径φ１よりも大きい外径とした頭部２ａが形成されている。さらに、他方側には頭部２ａ方向に至るにしたがって小さくしたテーパ状の外径としたテーパ部２ｂが形成されている。このテーパ部２ｂは、他方端から軸方向の中央部まで形成され、軸部２とテーパ部２ｂとの境には段差が形成されている。また、テーパ部２ｂの角度θ１は、後述するように、被締結部材５に対する締結強度、軸部２の移動寸法によって適宜に決められるが、概ね９８度から９５度が望ましい。なお、テーパ部２ｂが形成される軸方向の寸法、及び、外径寸法は、後述する被締結体５によって適宜に設定される。また、軸部２は、一般的なボルトと同じ鉄系の金属材によって、鍛造加工や切削加工等によって製作される。この材質については、例えば、ＳＳ材、ＳＣＭ材、Ｓ４５Ｃ、ＳＵＳ３０４、ＳＵＳ３１６、チタン、或いは、黄銅等の金属素材、或いは、合成樹脂素材であってもよい。
【００２３】  一方、軸部２の頭部２ａには、軸部２側に傾斜面２ｃが形成されている。この傾斜面２ｃの角度θ２は、後述する座金４に形成した斜面の角度にほぼ等しく形成されている。
【００２４】  カラー３は、図３に示すように、略円筒状に形成されている。カラー３は外径φ２が軸部２の外径φ１と同じとしている。内径は、軸部２のテーパ部２ｂの外径に合わせて一端側から他端に至るにしたがって厚さを小さくしたテーパ状にされている。このテーパ角は、軸部のテーパ部２ｂの角度θ１と同じにしている。また、カラー３の軸方向の寸法は、被締結部材５によって適宜設定されるが、軸部２のテーパ部２ｂの軸方向寸法より短く設定することが望ましい。この円筒状に形成されカラー３には、軸方向のスリット３ａが形成されている。スリット３ａは、図示のように。軸線に対して傾斜されているが、軸線と平行に形成しても良い。また、スリット３ａの幅は、カラー３の外径寸法によって適宜に設定されるが、軸部２のテーパ部２ｂに嵌挿した状態で隙間が生じるように、概ね、０．１ｍｍ〜数ｍｍ以内とすることが望ましい。なお、カラー３の材質も、前述した軸部２と同じにすることが望ましい。
【００２５】  座金４は、図４に示すように、略Ｕ字状に形成され、開口側４ａから閉口側４ｂに向けて、軸部２を挿通するための溝４ｃが形成されている。そして、閉口側４ｂから開口側４ａに至るにしたがって厚さが小さく形成されている。この傾斜角度は、軸部２の頭部２ａに形成した傾斜面２ｃの角度θ２に等しくすることが望ましく、概ね２〜１０度としている。また、座金４の厚さ、特に閉口側４ｂの厚さは、軸部２を移動させる寸法によって適宜に決められるが、概ね１ｍｍから８ｍｍ程度としている。なお、この座金４の材質も、前述した軸部２と同じにすることが望ましい。
【００２６】  次に、以上のように構成された締結部材１により被締結体を締結する方法について説明する。まず、図５（Ａ）に示すように、軸部２のテーパ部２ｂの先端から、カラー３の厚さを大きく形成した一端側から嵌挿する。このとき、カラー３の一端側の内径がテーパ部２ｂの先端側の外径よりもやや小さいことから、カラー３のスリット３ａを利用して拡開しながら嵌挿する。この嵌挿状態では、カラー３の外径が軸部２の外径とほぼ同じになっている。
【００２７】  このように、カラー３を軸部２のテーパ部２ｂに嵌挿した状態で、図５（Ｂ）に示すように、軸部２を被締結部材５の穴５ａ、５ｂに挿入し、図５（Ｃ）に示すように、軸部２の頭部２ａを被締結部材５の表面に接合させる。被締結部材５は、例えば２枚の板材であり、同じ内径の穴５ａ、５ｂが形成されている。これらの穴５ａ、５ｂの内径は、軸部２とカラー３の外径寸法よりもやや大きくし、軸部２とカラー３が若干軽圧入状態で嵌挿させることが望ましい。このような寸法に設定することにより、カラー３の外周面が穴５ｂの内面に接合し、軽度の摩擦力が生ずるようにしている。
【００２８】  その後、軸部２の頭部２ａを図５（Ｄ）に示す矢示の方向に持ち上げて、軸部２を移動させ、頭部２ａと被締結部材５の表面との間に隙間をあける。このように、軸部２を矢示の方向に移動させるとき、カラー３の外周面と穴５ｂの内面の間に軽度の摩擦力が生じているので、軸部２のみが矢示の方向に移動する。
【００２９】  このように、軸部２の頭部２ａと被締結部材５の表面との間に形成された隙間に、図５（Ｄ）に示すように、座金４を開口側４ａから矢示の方向に挿入し、溝４ｃに軸部２を挿通する。座金４は、前述したように、開口側に４ａよりも閉口側４ｂが厚くなるように形成されているので、座金４を移動させることにより、軸部２が矢示の方向にさらに移動させる。この結果、座金４により軸部２が逆方向に戻らないように固定され、締結状態が保持される。この締結状態では、軸部２とテーパ部２ｂの境の段差と、カラー３の端面の間が図５（Ｄ）に示すように離れている。なお、隙間に座金４を挿入するとき、ペンチまたは専用の挿入治具を使用することが望ましい。
【００３０】  軸部２を移動させるとき、カラー３は外周面と５ｂの内面との間の摩擦力によって静止状態となっているので軸部２のみが移動する。このとき、軸部２のテーパ部２ｂとカラー３のテーパ状に形成された内径によってカラー３の外径寸法が拡開し、図６に示すように、カラー３は外周面と穴５ｂの内面が密接状態となって、強力な摩擦力が生ずる。また、軸部２のテーパ部２ｂの外周面とカラー３の内周面との間も密接状態となって、強力な摩擦力が生ずることから、被締結部材５は締結部材１によって一体的に締結される。
【００３１】  図７は、座金４の変形例を示している。上述したように、座金４は軸部２の頭部２ａと被締結部材５の表面との間に形成された隙間に挿入し、軸方向に移動させた軸部２が戻らないようにしている。しかし、締結部材１及び被締結部材５に外部から振動が与えられた場合、軸部２の頭部２ａとの摩擦力、或いは被締結部材５との摩擦力が低下して、座金４が逆方向に戻ろうとする。これにより、被締結部材５との締結力が低下する恐れがある。
【００３２】  このため、座金４の開口側４ａを図７（Ａ）に示すように、軸部２の外径付近から段差４ｄを設けて幅狭に形成している。幅狭な開口側４ａは、剛性が小さくなることから、変形可能になり、図示しないペンチ等の工具によって開口側４ａを挟むことにより、段差４ｄ付近から屈曲して溝４ｃの開口側の間隔が狭くなる。この結果、座金４の開口側４ａが軸部２を包持するようになり、座金４が逆方向に戻ることを阻止し、軸部２が軸方向に戻れないので、被締結部材５との締結力を保持することができる。
【００３３】  図８は、例えば２枚の板材を重合した一方の被締結部材５の穴５ｃが止め穴に形成されている場合の締結状態を示している。このような止め穴の場合も、前述した実施例と同様に、カラー３を軸部２のテーパ部２ｂに嵌挿した状態で、軸部２を被締結部材５の穴５ａから止め穴とした穴５ｃまで挿入する。その後、軸部２の頭部２ａを持ち上げて軸部２を移動し、頭部２ａと被締結部材５の表面との間に隙間をあける。この場合にも、軸部２を矢示の方向に移動させるとき、カラー３の外周面と穴５ａ、５ｃの内面の間に軽度の摩擦力が生じているので、軸部２のみが矢示の方向に移動し、軸部２の頭部２ａと被締結部材５の表面との間に隙間が形成される。
【００３４】  その後、隙間に座金４を開口側４ａから挿入し、溝４ｃに軸部２を押通する。座金４は開口側４ａよりも閉口側４ｂが厚くなるように形成されているので、座金４を移動させることにより、軸部２が矢示の方向にさらに移動させる。これによって、座金４によって軸部２が逆方向に戻らないように固定されるので、被締結部材５に形成された穴が止め穴であっても、強固に締結することができる。
【００３５】  図９は、比較的肉薄な２枚の板材を重合した被締結部材５をナット状の補助締結体６によって締結するようにした実施例を示している。図１に示した実施例のように、被締結部材５の板厚が軸部２のテーパ部２ｂの軸方向寸法に近似している場合は、十分な締結力を得ることができるが、図９に示すように、テーパ部２ｂよりも小さい場合は、十分な締結力が得られないことがある。このような場合は、補助締結体６を用いてテーパ部２ｂの軸方向寸法に近似させることにより、所定の締結力を得ることが可能となる。
【００３６】  補助締結体６はナット状に形成され、軸方向の内部に透孔６ａが形成されている。この透孔６ａの内径は、軸部２とカラー３の外径寸法よりもやや大きくし、軸部２とカラー３が若干軽圧入状態で嵌挿させるように形成することが望ましい。そして、前述した実施例と同様に、カラー３を軸部２のテーパ部２ｂに嵌挿した状態で、軸部２を被締結部材５の穴５ａ、５ｂを貫通するとともに、補助締結体６の透孔６ａを貫通させる。その後、軸部２の頭部２ａを持ち上げて軸部２を移動し、頭部２ａと被締結部材５の表面との間に形成された隙間に座金４を挿入して移動させることにより、軸部２が逆方向に戻らないように固定する。このように、被締結部材５が肉薄であっても、補助締結体６をしようすることにより、強固に締結することができる。
【００３７】  以上説明した締結部材は、被締結部材５から離脱させることが必要となる場合がある。このような離脱可能とした締結部材について、図１０、図１１により説明する。締結部材１０は、軸部２とカラー３及び座金４によって構成されている。前述した実施例と異なる点は、円筒状に形成されカラー３に形成されたスリット３ａに、周方向に延びるように凹部３ｂを形成し、軸部２のテーパ部２ｂには、スリット３ａの周方向の幅よりも小さい幅の突部２ｄを突出形成したことである。なお、カラー３に形成されたスリット３ａは、軸線と平行に形成することが望ましい。このように構成することにより、軸部２のテーパ部２ｂに突出形成した突部２ｄがスリット３内を軸方向に移動させることができる。
【００３８】  このように構成した締結部材１０によって、前述した実施例と同様に被締結部材５を締結する。すなわち、図１０（Ａ）に示すように、軸部２のテーパ部２ｂの先端からカラー３を嵌挿する。このとき、テーパ部２ｂに突出形成した突部２ｄがカラー３のスリット３ａ内に位置し、カラー３は、突部２ｄにガイドされながら嵌挿させる。
【００３９】  このように、カラー３を軸部２のテーパ部２ｂに嵌挿した状態で、図１０（Ｂ）に示すように、軸部２を被締結部材５の穴５ａ、５ｂに挿入したのち、軸部２の頭部２ａを持ち上げ、カラー３の外周面と穴５ｂの内面との摩擦力によってカラー３を停止させた状態で軸部２を移動し、頭部２ａと被締結部材５の表面との間に生じた隙間に座金４を挿入することにより、被締結部材５を強固に締結することができる。
【００４０】  一方、締結部材１０を被締結部材５から離脱させる場合には、頭部２ａと被締結部材５の表面との間に生じた隙間に挿入されている座金４を引き抜く。その後、図１１（Ａ）に示すように、当初二点鎖線に示す位置にあった軸部２を矢示の方向に押圧し、頭部２ａを被締結部材５の表面に当接させる。この状態から、図１１（Ｂ）に示すように、頭部２ａを矢示の方向に回動させることにより、軸部２が回動して突部２ｄがカラー３のスリット３ａに形成された凹部３ｂに係合させる。そして、図１１（Ｃ）に示すように、締結部材１０を矢示の引き抜き方向に移動すると、突部２ｄが凹部３ｂに係合しているので、軸部２の移動によってカラー３が一体に移動する。このように、突部２ｄが凹部３ｂに係合した状態では、締結部材１０が図１０（Ａ）に示す被締結部材５の穴５ａ、５ｂに挿入可能な状態となっているので、容易に締結部材１０を被締結部材５から離脱させることができる。
【００４１】  以上、本発明を実施例に基づき具体的に説明したが、本発明は上記実施例に限定されるものではなく、その要旨を逸脱しない範囲で種々変形可能であることは言うまでもない。
前述した各実施例において、締結部材の頭部の被締結部材側に座金の開口側が挿入可能な段差を設け、この段差を利用して座金を挿入するようにしても良い。また、座金を弾性金属板により若干円弧状に湾曲させて略Ｕ字形に形成し、この座金を軸部の頭部と被締結部材の間に挿入し、座金の弾力によって軸部が逆方向に戻らないように固定しても良い。
【産業上の利用可能性】
【００４２】  本考案は、機械器具、電機機械器具、車両、建設、建築、鉄道等に用いる被締結部材の締結に適用可能である。
【符号の説明】
【００４３】  １    締結部材
２    軸部
２ａ  頭部
２ｂ  テーパ部
２ｃ  傾斜面
２ｄ  突部
３    カラー
３ａ  スリット
３ｂ  凹部
４    座金
４ａ  開口側
４ｂ  閉口側
４ｃ  溝
５    被締結体
５ａ  穴
５ｂ  穴
６    補助締結体
【図１】
2018091475.tif 000003
【図２】
2018091475.tif 000004
【図３】
2018091475.tif 000005
【図４】
2018091475.tif 000006
【図５】
2018091475.tif 000007
【図６】
2018091475.tif 000008
【図７】
2018091475.tif 000009
【図８】
2018091475.tif 000010
【図９】
2018091475.tif 000011
【図１０】
2018091475.tif 000012
【図１１】
2018091475.tif 000013